(57)【特許請求の範囲】
【請求項１】
前枠に取り付けられる第１テンプルと、
前端側に取付部を有する第２テンプルとを備え、
前記第１テンプルは、内外方向に貫通する貫通孔を具備し、
前記取付部は、後端側が前記第１テンプルの内側に位置し、後端側から前端側の途中で前記貫通孔を貫通して延び、前端側が前記第１テンプルの外側面に取り付けられ、
前記第２テンプルは、内外方向に弾性的に変位可能であり、外方向に付勢されたときに、前記第１テンプルの少なくとも１点に当接し、
前記第２テンプルを外方向に変位させるときの曲げ弾性率は、前記第１テンプルを外方向に変位させるときの曲げ弾性率よりも小さいことを特徴とするテンプル。
【請求項２】
前記第２テンプルは、少なくとも後端側に先セルを具備し、
前記第１テンプルの後端は、前記先セルの後端より前方に位置し、
前記第２テンプルが外方向に付勢されたときに、前記先セルの前端側と前記第１テンプルの後端側とが当接することを特徴とする請求項１に記載のテンプル。
【請求項３】
請求項１又は２に記載のテンプルを備える眼鏡フレーム。
【発明の詳細な説明】
【技術分野】
【０００１】
本発明は、テンプル及びこれを用いた眼鏡フレームに関する。特に、本発明は、装着時のホールド性を確保しつつ、着脱容易性を向上させることができるテンプル及びこれを用いた眼鏡フレームに関する。
【背景技術】
【０００２】
眼鏡フレームは、通常、前枠、前記前枠の両端からそれぞれ後方に延出するテンプル及び前記前枠と前記テンプルとの間に介在する蝶番等が連結されて構成されている。このような眼鏡フレームにおいては、デザイン性の観点より、いわゆるストレートテンプル（テンプルの後端側が下方に湾曲していない、又は湾曲の少ないテンプル）を具備する眼鏡フレームも数多く存在する。
【０００３】
このようなストレートテンプルを具備する眼鏡フレームにおいては、一般的に、使用者の頭部の側面に沿うように（使用者の耳裏から後頭部に沿うように）テンプル後端側を外方に向けて凸状に湾曲させている。上記眼鏡フレームを装着すると、頭部の形状に応じて上記テンプルが広げられるため、頭部の両側面に押圧力（ばねの復元力）が付勢される。
【０００４】
しかしながら、ストレートテンプルは、使用者の耳裏に当接される部分が少ないため、後端側が下方に湾曲した通常のテンプルに比べると、眼鏡フレーム装着時において、眼鏡フレームを安定した状態に保持するホールド性に劣る。また、テンプル後端側が使用者の頭部の側面に沿うように外方に向けて凸状に湾曲していると、左右のテンプルの後端側間の距離が頭部の幅よりも狭くなる。このため、上記眼鏡フレームを着脱する際、頭部の両側面に付勢される押圧力に抗してテンプルを頭部の幅程度又は頭部の幅より大きく開いた状態にしなければならない。このため、上記のようなストレートテンプルを具備する眼鏡フレームは、前記通常のテンプルを具備する眼鏡フレームに比べて、着脱容易性に劣るという問題がある。
【０００５】
上記ストレートテンプルのホールド性を高めるために、上記ストレートテンプルを外方向に変位させるときの曲げ弾性率を大きくすることによって、頭部の両側面への押圧力を大きくすることが考えられる。しかしながら、上記ストレートテンプルを具備する眼鏡フレームを着脱する際、テンプルを開くための力も大きくなるため、上記眼鏡フレームは、更に着脱容易性に劣ることになる。
【０００６】
また、ホールド性を高めるために、特許文献１では、前枠に継手を介して連結される第１テンプルと、第１テンプルの先端に軸を介して揺動可能に取り付けられる第２テンプルとからなり、第２テンプルが軸支される位置が第２テンプルの内側から所定の距離離れた眼鏡フレームのテンプルが提案されている。
【０００７】
このような眼鏡フレームのテンプルにおいては、第２テンプルが第１テンプルの先端に軸を介して揺動可能に取り付けられるので、ホールド性は向上すると考えられる。しかしながら、第２テンプルの内側から軸支されるまでの部位（特許文献１の図１及び図３中Ｌの範囲）は、使用者が顔を動かしたり、運動等を行ったりして頭部の側方に触れることにより、眼鏡フレーム装着時であっても第２テンプルが僅かに揺動する恐れがある。第２テンプルが揺動すると、ホールド性を良好に維持することができず、安定性に欠けるという問題があった。また、このような眼鏡フレームのテンプルは、第１テンプルと第２テンプルとを軸支する構成であるため、繰り返し使用しているうちに軸部材が劣化し易いという問題もあった。
【０００８】
一方、上記ストレートテンプルの着脱容易性を高めるために、上記ストレートテンプルを外方向に変位させるときの曲げ弾性率を小さくすることによって、頭部の両側面への押圧力を小さくすることが考えられるが、上記ストレートテンプルを具備する眼鏡フレームは、更にホールド性に劣ることになる。
【０００９】
上記のように、従来のストレートテンプルを具備する眼鏡フレームでは、ホールド性及び着脱容易性の双方を満足させることは困難であった。
【先行技術文献】
【特許文献】
【００１０】
【特許文献１】実用新案第３０８１２６１号公報
【発明の概要】
【発明が解決しようとする課題】
【００１１】
本発明は、斯かる従来技術の問題点を解決するためになされたものであり、眼鏡フレームのホールド性を維持し、かつ、より着脱容易性に優れた眼鏡フレームのテンプル、及び眼鏡フレームを提供することを課題とする。
【課題を解決するための手段】
【００１２】
前記課題を解決するため、本発明は、請求項１に記載のように、前枠に取り付けられる第１テンプルと、前端側に取付部を有する第２テンプルとを備え、前記第１テンプルは、内外方向に貫通する貫通孔を具備し、前記取付部は、後端側が前記第１テンプルの内側に位置し、後端側から前端側の途中で前記貫通孔を貫通して延び、前端側が前記第１テンプルの外側面に取り付けられ、前記第２テンプルは、内外方向に弾性的に変位可能であり、外方向に付勢されたときに、前記第１テンプルの少なくとも１点に当接し、前記第２テンプルを外方向に変位させるときの曲げ弾性率は、前記第１テンプルを外方向に変位させるときの曲げ弾性率よりも小さいことを特徴とするテンプルを提供する。
【００１３】
本発明に係るテンプルによれば、第１テンプルが眼鏡フレームの前枠に取り付けられることにより、第１テンプルを外方向へ変位させると、第１テンプルから前枠までの構成が有する曲げ弾性率（以下、曲げ弾性率Ｅ１という。）に応じて、内方向へ押圧力（ばねの復元力）が働く。また、第２テンプルを外方向へ変位させると、第２テンプルが有する曲げ弾性率（以下、曲げ弾性率Ｅ２という。）に応じて、内方向へ押圧力が働く。第２テンプルは、前端側に取付部を有しており、前記取付部の前端側が第１テンプルに取り付けられる。また、第２テンプルは、内外方向に弾性的に変位可能であり、外方向に付勢されたときに、第１テンプルの少なくとも１点に当接するように構成される。換言すれば、第２テンプルの少なくとも後端側は、第１テンプルの内側に位置する。第２テンプルは、取付部を介して第１テンプルに取り付けられているため、第２テンプルを外方向へ変位させると、第１テンプルも外方向へ変位することとなる。しかし、曲げ弾性率Ｅ２が曲げ弾性率Ｅ１よりも小さいため、第２テンプルが第１テンプルの少なくとも１点に当接するまでは、曲げ弾性率Ｅ２による押圧力が支配的となる。従って、使用者が眼鏡フレームを装着するために左右のテンプルの幅を広げる際、曲げ弾性率Ｅ２に抗する力でテンプルを広げることができるため、容易に装着を開始することができるという効果を奏する。そして、第２テンプルが第１テンプルに当接した後は、第１テンプルと第２テンプルとが一体となって変位することになり、曲げ弾性率Ｅ１及びＥ２による押圧力が働く。次に、使用者が本発明に係るテンプルを備える眼鏡フレームを装着した状態では、第２テンプルが第１テンプルに当接しておらず、第２テンプルの後端側が使用者の側頭部の後方に当接するように、第１テンプル及び第２テンプルの形状を設定しておけば、使用者が眼鏡フレームの取り外しを開始するために左右のテンプルの幅を広げる際、曲げ弾性率Ｅ２に抗する力でテンプルを広げることができるため、容易に眼鏡フレームの取り外しを開始することができる。そして、眼鏡フレームを取り外す過程において、第１テンプルと第２テンプルとが当接することにより、第２テンプルと一体となった第１テンプルを外方向に押し広げるために曲げ弾性率Ｅ１及びＥ２に抗する力が必要であるものの、眼鏡フレームを前方にずらしていくに従って、第1テンプルと第２テンプルとが当接しなくなる結果、曲げ弾性率Ｅ２による押圧力が支配的となるため、眼鏡フレームを容易に取り外すことができるという効果を奏する。さらに、使用者が眼鏡フレームを装着しているとき、眼鏡フレームがずれようと前方へ移動しようとすると、頭部の形状により第２テンプルが外方向に押し広げられることにより、第２テンプルが第１テンプルに当接する。この結果、使用者の側頭部の後方に、曲げ弾性率Ｅ２による押圧力に加えて、曲げ弾性率Ｅ１による押圧力が付勢される。従って、眼鏡フレームがずれ難くなるため、ホールド性を確保することができるという効果を奏する。
【００１４】
なお、上記における前端側は、眼鏡フレームを装着した際の前方（前枠側）を意味し、後端側は、その反対側を意味する。また、内側（内方向）は、眼鏡フレームを装着した際の頭部側を意味し、外側（外方向）は、その反対側を意味する。
【００１５】
ここで、本発明とは異なり、第２テンプルの取付部の前端側を第１テンプルの内側面に取り付ける構成も考えられる。この場合、第２テンプルを外方向に付勢すればするほど、取付部が第１テンプルから引き剥がされる方向への力が増すことになる。このため、取付部は、このような強い力が働いたときに、取付部が破損するという問題が生ずる恐れがある。
【００１６】
従って、本発明において、前記第１テンプルは、内外方向に貫通する貫通孔を具備し、前記取付部は、後端側が前記第１テンプルの内側に位置し、後端側から前端側の途中で前記貫通孔を貫通して延び、前端側が前記第１テンプルの外側面に取り付けられる。
【００１７】
斯かる構成によれば、第１テンプルは、内外方向に貫通する貫通孔を具備しており、取付部は、後端側が第１テンプルの内側に位置し、後端側から前端側の途中で貫通孔を貫通して延びることにより、前端側が第１テンプルの外側面に取り付けることができる。このため、第２テンプルを外方向に付勢し、第２テンプルが第１テンプルに当接した後は、さらに第２テンプルを外方向へ変位させたとしても、取付部の形状はほとんど変化せず、第１テンプルと第２テンプルとは一体となって変位する。よって、取付部が第１テンプルから引き剥がされる方向へ働く力はほぼ一定となる結果、取付部が破損し難いために、取付部に要求される耐久性は、該一定の力に耐え得るものであれば良いという効果を奏する。
【００１８】
しかしながら、上記の構成において、第１テンプルが、第２テンプルの後端側全体に沿って対向するような構成が考えられる。換言すれば、第１テンプルの後端と第２テンプルの後端とは、前後関係において、ほぼ同等に位置する構成が考えられる。
【００１９】
斯かる構成を採用する場合、眼鏡フレームの第１テンプルが長くなることにより、眼鏡フレーム自体が重くなるため、眼鏡フレームのかけ心地が悪くなる恐れがある。また、第１テンプルの長さに応じて、材料費が高くなる。さらに、使用者が装着した眼鏡フレームを側方から見たとき、第１テンプルの幅（上下方向における長さ）が第２テンプルの幅よりも小さい場合、第１テンプルと第２テンプルとが重なって見えるため、美感を損ねる恐れがある。このような状況を回避するために、第１テンプルの幅を第２テンプルの幅よりも大きく設計しなければならないという制約が生じる。
【００２０】
従って、好ましくは、前記第２テンプルは、少なくとも後端側に先セルを具備し、前記第１テンプルの後端は、前記先セルの後端より前方に位置し、前記第２テンプルが外方向に付勢されたときに、前記先セルの前端側と前記第１テンプルの後端側とが当接する。
【００２１】
斯かる好ましい構成によれば、第１テンプルの後端は、先セルの後端より前方に位置するため、第１テンプルの長さは短く構成される。このため、第１テンプルが軽量となる結果、第１テンプルを用いた眼鏡フレームが軽量となり、眼鏡フレームのかけ心地が向上する。また、第１テンプルの材料が少量で良いため、安価で眼鏡フレームを製作することができる。さらに、先セルの前端側と第１テンプルの後端側とが当接する程度に、第１テンプルの長さが短く構成されており、本発明に係るテンプルを側方から見たとき、第１テンプルと先セルとが重なる部分はほとんどない。従って、第１テンプルと先セルとが重なって見えることによって美感が損なわれることが生じ難くなるため、第１テンプル及び先セルの形状を設計するにあたり、自由度が高まる。
【００２２】
また、前記課題を解決するため、本発明は、前記テンプルを備える眼鏡フレームとしても提供される。
【発明の効果】
【００２３】
以上説明したように本発明によると、眼鏡フレームのホールド性が失われることなく、着脱容易性が向上される眼鏡フレームのテンプル及びこれを用いた眼鏡フレームを提供することができる。
【図面の簡単な説明】
【００２４】
【図１】図１は、本発明の第１の実施形態に係るテンプル及びこれを用いた眼鏡フレームの構成図である。
【図２】図２は、本発明の第１の実施形態に係る眼鏡フレームを装着するときの眼鏡フレームの平面図である。
【図３】図３は、本発明の第１の実施形態に係る眼鏡フレームを装着するときの眼鏡フレームの平面図である。
【図４】図４は、本発明の第２の実施形態に係るテンプル及びこれを用いた眼鏡フレームの構成図である。
【図５】図５は、本発明の第２の実施形態に係る眼鏡フレームを装着するときの眼鏡フレームの平面図である。
【図６】図６は、本発明の第２の実施形態に係る眼鏡フレームを装着するときの眼鏡フレームの平面図である。
【図７】図７は、本発明の第３の実施形態に係るテンプル及びこれを用いた眼鏡フレームの構成図である。
【図８】図８は、本発明の第３の実施形態に係る眼鏡フレームを装着するときの眼鏡フレームの平面図である。
【図９】図９は、本発明の第３の実施形態に係る眼鏡フレームを装着するときの眼鏡フレームの平面図である。
【発明を実施するための形態】
【００２５】
（第１の実施形態）
以下、添付図面を参照しつつ、本発明の第１の実施形態に係るテンプル及びこれを用いた眼鏡フレームについて説明する。図１は、本発明の第１の実施形態に係るテンプル及びこれを用いた眼鏡フレームの構成図であり、図１（ａ）は、該眼鏡フレームの平面図であり、図１（ｂ）は、該眼鏡フレームの第２テンプル部分の斜視図である。図１に示すように、本実施形態に係る眼鏡フレーム１００は、第１テンプル１と、第２テンプル２とを備える。また、眼鏡フレーム１００は、更に蝶番３と、前枠４とを備える。第１テンプル１は、前枠４に取り付けられている。具体的には、本実施形態では、第１テンプル１は、蝶番３を介して前枠４に取り付けられている。ただし、本発明はこれに限られるものではなく、第１テンプル１が前枠４に直接取り付けられる構成を採用することもできる。第２テンプル２は、前端側に取付部２１を具備しており、取付部２１の前端側は、第１テンプル１に取り付けられている。
【００２６】
第２テンプル２は、内外方向に弾性的に変位させることができる。具体的には、本実施形態では、取付部２１が内外方向に弾性を有する構成とされている。また、第２テンプル２を外方向に付勢すると、第１テンプル１と第２テンプル２とが当接する。
【００２７】
第１テンプル１は、内外方向に弾性的に変位させることができる。具体的には、本実施形態では、第１テンプル１が弾性を有する金属等の材料から構成されている。また、第１テンプル１自体が弾性を有していなくても、内外方向に弾性を有する蝶番３（例えば、バネ蝶番）を採用すれば、第１テンプル１が内外方向に変位できる構成とすることもできる。
【００２８】
第２テンプル２を外方向に変位させるときの曲げ弾性率Ｅ２は、第１テンプル１を外方向に変位させるときの曲げ弾性率Ｅ１よりも小さく構成される。曲げ弾性率は、第１テンプル１及び第２テンプル２の材料、幅、厚さ又はそれらの組合せにより調整することができる。本実施形態では、第１テンプル１は、第２テンプル２の取付部２１と比して、材料及び厚さを同等とし、幅を広くする構成を採用している。
【００２９】
なお、上記においては、第２テンプル２が内外方向に弾性的に変位可能な構成として、取付部２１が弾性を有する構成を説明したが、本発明はこれに限られるものではなく、先セル２２が弾性を有している構成を採用することも可能である。
【００３０】
本実施形態に係る第２テンプル２は、好ましい態様として、図１（ａ）に示すように、後端側に先セル２２を具備している。先セル２２は、例えば、可撓性樹脂により構成される。斯かる場合によれば、先セル２２が有する樹脂の可撓性により、先セル２２と使用者の側頭部との密着度が高まり、ホールド性を高めることができる。なお、本実施形態では、第１テンプル１の後端と先セル２２の後端とは、前後関係において、ほぼ同等に位置している。
【００３１】
次に、本実施形態に係る眼鏡フレーム１００の装着時の動作について説明する。図２は、使用者が眼鏡フレーム１００を装着するときの使用者の頭部Ｈ及び眼鏡フレーム１００の平面図であり、図２（ａ）は、装着前の平面図であり、図２（ｂ）は、装着開始時の平面図であり、図３（ａ）は、装着途中の平面図であり、図３（ｂ）は、装着完了時の平面図である。なお、各平面図は、第２テンプル２の動作を説明するために、左側のみを示している。
【００３２】
図２（ａ）に示すように、眼鏡フレーム１００を装着するときは、事前に、第１テンプル１及び第２テンプル２を大きく広げておく。眼鏡フレーム１００の装着を開始すると、図２（ｂ）に示すように、まず第２テンプルと頭部Ｈとが当接する。第２テンプル２は、弾性を有していることから、頭部Ｈにより第２テンプル２が外方向に押し広げられながら、眼鏡フレーム１００は装着されることになる。眼鏡フレーム１００の装着の過程において、図３（ａ）に示すように、頭部Ｈにより第２テンプル２が外方向に押し広げられた結果、第２テンプル２が第１テンプル１に当接し、第１テンプル１と第２テンプル２とが一体となって外方向に変位する。眼鏡フレーム１００の装着を完了した状態では、図３（ｂ）に示すように、第２テンプル２の後端側が側頭部の後方に当接する。
【００３３】
前述したように、第２テンプルを外方向に変位させるときの曲げ弾性率Ｅ２は、第１テンプルを外方向に変位させるときの曲げ弾性率Ｅ１よりも小さいため、眼鏡フレーム１００の装着を開始するときは、曲げ弾性率Ｅ２による押圧力（ばねの復元力）が支配的となって、頭部Ｈの側方が付勢される。眼鏡フレーム１００の装着の過程において、第２テンプル２が第１テンプル１に当接し、第１テンプル１と第２テンプル２とが一体となって外方向に押し広げられるため、曲げ弾性率Ｅ１及びＥ２による押圧力によって、頭部Ｈが付勢される。眼鏡フレーム１００の装着を完了したときは、第２テンプル２が第１テンプル１に当接しておらず、第２テンプル２が側頭部の後方に当接し、曲げ弾性率Ｅ２による押圧力によって、側頭部の後方が付勢される。また、眼鏡フレーム１００を装着しているとき、眼鏡フレーム１００がずれようと前方に移動しようとすると、第２テンプル２が外方向に押し広げられようとするため、第２テンプル２は第１テンプル１に当接する。この結果、眼鏡フレーム１００は、曲げ弾性率Ｅ２による押圧力に、曲げ弾性率Ｅ１による押圧力を加えた力で、側頭部の後方を付勢する。
【００３４】
本実施形態の眼鏡フレーム１００によれば、眼鏡フレーム１００を装着するとき、第１テンプル１と第２テンプル２とが当接するまでの間は、曲げ弾性率Ｅ２による押圧力が支配的となるため、容易に眼鏡フレーム１００の装着を開始することができる。また、眼鏡フレーム１００を取り外す際には、曲げ弾性率Ｅ２に抗する力で、第２テンプル２を広げることができるため、容易に眼鏡フレーム１００の取り外しを開始することができる。そして、眼鏡フレーム１００を取り外す過程において、第２テンプル２が第１テンプル１に当接することにより、曲げ弾性率Ｅ１及びＥ２に抗する力が必要であるものの、眼鏡フレーム１００を前方にずらしていくに従って、第１テンプル１と第２テンプル２とが当接しなくなる結果、曲げ弾性率Ｅ２による押圧力が支配的となるため、容易に眼鏡フレーム１００を取り外すことができる。さらに、眼鏡フレーム１００を装着しているとき、眼鏡フレーム１００がずれようと前方へ移動しようとすると、前述したように、第２テンプル２が第１テンプル１に当接するため、使用者の側頭部の後方に、曲げ弾性率Ｅ２による押圧力に加えて、曲げ弾性率Ｅ１による押圧力が付勢される。従って、眼鏡フレームのずれが防止され、ホールド性を確保することができる。
【００３５】
（第２の実施形態）
以下、添付図面を参照しつつ、本発明の第２の実施形態に係るテンプル及びこれを用いた眼鏡フレームについて説明する。なお、本発明の第１の実施形態と同様の部分についての説明は省略し、主として異なる部分について説明する。図４は、本発明の第２の実施形態に係るテンプル及びこれを用いた眼鏡フレームの構成図であり、図４（ａ）は、該眼鏡フレームの平面図であり、図４（ｂ）は、該眼鏡フレームの第２テンプル部分の斜視図である。図４に示すように、本実施形態に係る眼鏡フレーム１００Ａの第２テンプル２は、先セル２２を具備し、第１テンプル１Ａの後端は、先セル２２の後端より前方に位置する。換言すれば、第１テンプル１Ａは、第１の実施形態における第１テンプル１よりも短く構成される。具体的には、第２テンプル２が外方向に付勢されたときに、先セル２２の前端側と第１テンプル１Ａの後端側とが当接するように、第１テンプル１Ａの長さが構成される。
【００３６】
本実施形態に係る眼鏡フレーム１００Ａを装着するときの眼鏡フレーム１００Ａの動作について説明する。図５は、使用者が眼鏡フレーム１００Ａを装着するときの使用者の頭部Ｈ及び眼鏡フレーム１００Ａの平面図であり、図５（ａ）は、装着前の平面図であり、図５（ｂ）は、装着開始時の平面図であり、図６（ａ）は、装着途中の平面図であり、図６（ｂ）は、装着完了時の平面図である。
【００３７】
本実施形態に係る眼鏡フレーム１００Ａでは、前述したように、先セル２２の前端側と第１テンプル１Ａの後端側とが当接する程度に、第１テンプル１Ａが短く構成されている。このため、第１テンプル１Ａを用いた眼鏡フレーム１００Ａの重量が軽量となり、眼鏡フレーム１００Ａのかけ心地が向上する。また、第１テンプル１Ａの部材が少量で良いため、安価で眼鏡フレーム１００Ａを製作することができる。さらに、眼鏡フレーム１００Ａを側方から見たとき、第１テンプル１Ａと先セル２２とが重なって見えることによって美感が損なわれることが生じ難くなるため、第１テンプル１Ａ及び先セル２２の形状を設計するにあたり、自由度が高まる。
【００３８】
（第３の実施形態）
以下、添付図面を参照しつつ、本発明の第３の実施形態に係るテンプル及びこれを用いた眼鏡フレームについて説明する。なお、これまでに述べた第１及び第２実施形態と同様の部分についての説明は省略し、主として異なる部分について説明する。図７は、本発明の第３の実施形態に係るテンプル及びこれを用いた眼鏡フレームの構成図であり、図７（ａ）は、該眼鏡フレームの平面図であり、図７（ｂ）は、該眼鏡フレームの右側面図であり、図７（ｃ）は、該眼鏡フレームの第２テンプル部分の斜視図である。図７に示すように、本実施形態に係る眼鏡フレーム１００Ｂの第１テンプル１Ｂは、内外方向に貫通する貫通孔１１を具備しており、取付部２１Ｂは、後端側が第１テンプル１Ｂの内側に位置し、後端側から前端側の途中で貫通孔１１を貫通して延び、前端側が第１テンプル１Ｂの外側面に取り付けられている。
【００３９】
本実施形態に係る眼鏡フレーム１００Ｂを装着するときの眼鏡フレーム１００Ｂの動作について説明する。図８は、使用者が眼鏡フレーム１００Ｂを装着するときの使用者の頭部Ｈ及び眼鏡フレーム１００Ｂの平面図であり、図８（ａ）は、装着前の平面図であり、図８（ｂ）は、装着開始時の平面図であり、図９（ａ）は、装着途中の平面図であり、図９（ｂ）は、装着完了時の平面図である。
【００４０】
本実施形態に係る眼鏡フレーム１００Ｂによれば、取付部２１Ｂが貫通孔１１を貫通しているため、第２テンプル２Ｂが第１テンプル１Ｂに当接した後は、さらに第２テンプル２Ｂを外方向に変位させたとしても、第２テンプル２Ｂの形状はほとんど変位せず、第１テンプル１Ｂが第２テンプル２Ｂと一体となって外方向へ変位する。このため、取付部２１Ｂが第１テンプル１Ｂに取り付けられている部分にかかる負荷がほぼ一定となる。換言すれば、取付部２１Ｂが第１テンプル１Ｂから引き剥がされる方向へ働く力はほぼ一定となる。よって、取付部２１Ｂが破損しないために、取付部２１Ｂに要求される耐久性は、該一定の力に耐え得るものであれば良い。
【００４１】
なお、本実施形態に係る眼鏡フレーム１００Ｂでは、好ましい態様として、図７（ａ）に示すように、第１テンプル１Ｂの長さを本発明の第２の実施形態と同様の長さにしている。ただし、本発明はこれに限られるものではなく、本発明の第１の実施形態と同様に、第１テンプル１Ｂの後端と先セル２２Ｂの後端とが、前後関係において、ほぼ同等に位置していてもよい。
【００４２】
また、本発明は、上記実施形態の構成に限られるものではなく、発明の趣旨を変更しない範囲で種々の変形が可能である。例えば、上述した実施形態において、取付部２１及び取付部２１Ｂは、取付部２１及び取付部２１Ｂの一部だけに内外方法への弾性を有してもよい。
【符号の説明】
【００４３】
１、１Ａ、１Ｂ・・・第１テンプル
２、２Ｂ・・・第２テンプル
３・・・蝶番
４・・・前枠
１１・・・貫通孔
２１、２１Ｂ・・・取付部
２２、２２Ｂ・・・先セル
１００、１００Ａ、１００Ｂ・・・眼鏡フレーム
Ｈ・・・頭部
【図１】
0005593539.tif 000002
【図２】
0005593539.tif 000003
【図３】
0005593539.tif 000004
【図４】
0005593539.tif 000005
【図５】
0005593539.tif 000006
【図６】
0005593539.tif 000007
【図７】
0005593539.tif 000008
【図８】
0005593539.tif 000009
【図９】
0005593539.tif 000010